(57)【要約】【課題】半嵌合検知部が本係止位置にない状態でパネルに取り付けられることを防止できるコネクタ構造を提供する。【解決手段】コネクタ構造１は、オスコネクタ２及びメスコネクタ３が嵌合したときに、オスコネクタ２外側の仮係止位置から本係止位置までスライドできるＣＰＡ４を有し、ピラー３０に設けた取付孔３１に挿入して取り付けられる。ＣＰＡ４は、オスコネクタ２及びメスコネクタ３の鉛直方向Ｙ２にスライド自在に設けられると共に、仮係止位置にある状態ではピラー３０パネルに当接してオスコネクタ２を取付孔３１に挿入できず、本係止位置にある状態ではオスコネクタ２を取付孔３１に挿入できるように、設けられている【選択図】図１１
2016207471.tif 000002
【特許請求の範囲】
【請求項１】
第１コネクタと、前記第１コネクタ内に挿入して嵌合された第２コネクタと、前記第１コネクタ及び前記第２コネクタが嵌合したときに、前記第１コネクタ外側の仮係止位置から本係止位置までスライドできる半嵌合検知部と、を備え、パネルに設けた取付孔に挿入して取り付けられるコネクタ構造であって、
前記半嵌合検知部は、前記第１コネクタ及び前記第２コネクタの嵌合方向と直交する方向にスライド自在に設けられると共に、前記仮係止位置にある状態では前記パネルに当接して前記第１コネクタを前記取付孔に挿入できず、前記本係止位置にある状態では前記第１コネクタを前記取付孔に挿入できるように、設けられている
ことを特徴とするコネクタ構造。
【請求項２】
前記第２コネクタには、外側に突出する当接部が設けられ、
前記第１コネクタには、前記当接部を当該第１コネクタ外側に突出させる溝が設けられ、
前記半嵌合検知部は、前記第１コネクタ及び前記第２コネクタが半嵌合のときは前記第２コネクタの前記当接部に当接して、前記本係止位置までスライドできないように設けられている
ことを特徴とする請求項１に記載のコネクタ構造。
【請求項３】
前記半嵌合検知部は、前記本係止位置にあるときに前記第２コネクタを離脱方向に引っ張ると前記当接部と当接して前記第２コネクタが前記第１コネクタ外に離脱できないように設けられている
ことを特徴とする請求項２に記載のコネクタ構造。
【発明の詳細な説明】
【技術分野】
【０００１】
本発明は、コネクタ構造に係り、特に、ＣＰＡ（半嵌合検知部）を備えたコネクタ構造に関するものである。
【背景技術】
【０００２】
従来より、第１コネクタと、第１コネクタ内に挿入して嵌合された第２コネクタと、第１コネクタ及び第２コネクタが嵌合したときに、第１コネクタ外側の仮係止位置から本係止位置までスライドできるＣＰＡ（半嵌合検知部）と、を備えたコネクタ構造が提案されている（特許文献１）。
【０００３】
このコネクタ構造において、ＣＰＡは第１コネクタ及び第２コネクタが半嵌合状態では本係止位置までスライドできず、嵌合状態になって初めて本係止位置までスライドできるようになっている。よって、ＣＰＡが本係止位置にスライドできなければ、第１、第２コネクタが半嵌合であるとわかり、半嵌合を防止できる。
【０００４】
しかしながら、従来のコネクタ構造では、図１４に示すように、ＣＰＡ４００は、仮係止位置においてロックアーム４０１の先端が第１コネクタ３００の仮係止ロック部３０１に係止し、本係止位置においてロックアーム４０１の先端が第１コネクタ３００の本係止リブ３０２に係止している。このため、ロックアーム４０１の先端が本係止リブ３０２上に残ったまま車両のピラー（パネル）に取り付けられる恐れがあった。
【０００５】
この場合、異音が発生したり、ＣＰＡによる第１、第２コネクタの２重係止構造が働かないため、コネクタ保持力の低下が懸念される、という問題があった。
【先行技術文献】
【特許文献】
【０００６】
【特許文献１】特開２０１２−５４０５１号公報
【発明の概要】
【発明が解決しようとする課題】
【０００７】
そこで、本発明は、半嵌合検知部が本係止位置にない状態でパネルに取り付けられることを防止できるコネクタ構造を提供することを課題とする。
【課題を解決するための手段】
【０００８】
上記課題を解決するためになされた請求項１記載の発明は、第１コネクタと、前記第１コネクタ内に挿入して嵌合された第２コネクタと、前記第１コネクタ及び前記第２コネクタが嵌合したときに、前記第１コネクタ外側の仮係止位置から本係止位置までスライドできる半嵌合検知部と、を備え、パネルに設けた取付孔に挿入して取り付けられるコネクタ構造であって、前記半嵌合検知部は、前記第１コネクタ及び前記第２コネクタの嵌合方向と直交する方向にスライド自在に設けられると共に、前記仮係止位置にある状態では前記パネルに当接して前記第１コネクタを前記取付孔に挿入できず、前記本係止位置にある状態では前記第１コネクタを前記取付孔に挿入できるように、設けられていることを特徴とするコネクタ構造に存する。
【０００９】
請求項２記載の発明は、前記第２コネクタには、外側に突出する当接部が設けられ、前記第１コネクタには、前記当接部を当該第１コネクタ外側に突出させる溝が設けられ、前記半嵌合検知部は、前記第１コネクタ及び前記第２コネクタが半嵌合のときは前記第２コネクタの前記当接部に当接して、前記本係止位置までスライドできないように設けられていることを特徴とする請求項１に記載のコネクタ構造に存する。
【００１０】
請求項３記載の発明は、前記半嵌合検知部は、前記本係止位置にあるときに前記第２コネクタを離脱方向に引っ張ると前記当接部と当接して前記第２コネクタが前記第１コネクタ外に離脱できないように設けられていることを特徴とする請求項２に記載のコネクタ構造に存する。
【発明の効果】
【００１１】
以上説明したように請求項１記載の発明によれば、半嵌合検知部は、仮係止位置にある状態ではパネルに当接して第１コネクタを取付孔に挿入できないので、半嵌合検知部が本係止位置にない状態でパネルに取り付けられることを防止できる。
【００１２】
請求項２記載の発明によれば、半嵌合検知部は、第１コネクタ及び第２コネクタが半嵌合のときは第２コネクタの当接部に当接して、本係止位置までスライドできないように設けられている。これにより、第１コネクタ及び第２コネクタが半嵌合状態でパネルに取り付けられることを防止できる。
【００１３】
請求項３記載の発明によれば、第２コネクタが第１コネクタ外に離脱するのを防止できる。
【図面の簡単な説明】
【００１４】
【図１】本発明のコネクタ構造の一実施形態を示す分解斜視図である。
【図２】図１に示すオスコネクタ及びＣＰＡの分解斜視図である。
【図３】（Ａ）は図１に示すオスコネクタを構成するオスハウジングの斜視図であり、（Ｂ）は（Ａ）のＸ部拡大図である。
【図４】図１に示すメスコネクタの分解斜視図である。
【図５】図４に示すメスハウジングの斜視図である。
【図６】（Ａ）は図１に示すＣＰＡの斜視図であり、（Ｂ）は（Ａ）のＩ−Ｉ線断面図である。
【図７】ＣＰＡが仮係止位置にあるときの図１に示すコネクタ構造の斜視図である。
【図８】（Ａ）は図７のＩＩ−ＩＩ線断面図であり、（Ｂ）は（Ａ）のＹ部拡大図である。
【図９】（Ａ）はＣＰＡが本係止位置にあるときの図１に示すコネクタ構造の斜視図であり、（Ｂ）は（Ａ）のＩＩＩ−ＩＩＩ線断面図である。
【図１０】図１に示すコネクタ構造をピラーに取り付けた状態を示す斜視図である。
【図１１】ＣＰＡが仮係位置にある図１に示すコネクタ構造をピラーに取り付けようとしたときの正面図である。
【図１２】（Ａ）は図１に示すオスコネクタ及びメスコネクタが半嵌合状態のときにＣＰＡを仮係止位置から本係止位置にスライドさせたときの斜視図であり、（Ｂ）は（Ａ）のＩＶ−ＩＶ線断面図である。
【図１３】図１に示すＣＰＡが本係止位置にあるときにメスコネクタを離脱方向に引っ張ったときの断面図である。
【図１４】従来のコネクタ構造の問題点を説明するための断面図である。
【発明を実施するための形態】
【００１５】
以下、本発明のコネクタ構造について図１〜図１３を参照して説明する。同図に示すコネクタ構造１は、例えば車両のパネルとしてのピラー３０に取り付けられる。コネクタ構造１は、第１コネクタとしてのオスコネクタ２と、オスコネクタ２内に挿入して嵌合された第２コネクタとしてのメスコネクタ３と、オスコネクタ２及びメスコネクタ３が嵌合したときに、オスコネクタ２外側の仮係止位置から本係止位置までスライドできるＣＰＡ４と、を備えている。
【００１６】
オスコネクタ２は、図２に示すように、オス端子５と、オスハウジング６と、オススペーサ７と、グロメット８と、を備えている。オス端子５は、導電部材から構成され、後述するメス端子１０に接続されるタブ状又はピン状の電気接続部５１と、図示しない電線に接続される電線接続部５２と、がオスコネクタ２及びメスコネクタ３の嵌合方向Ｙ１に沿って並べて設けられている。
【００１７】
オスハウジング６は、図２及び図８（Ａ）に示すように、合成樹脂などから構成され、オス端子５の電線接続部５２が収容される端子収容部６１と、オス端子５の電気接続部５１が収容されると共に後述するメスコネクタ３が挿入される筒状のフード部６２と、後述するピラー３０に重ねて取り付けられるフランジ部６３と、を有している。
【００１８】
端子収容部６１は、図８（Ａ）に示すように、ブロック状に設けられ、嵌合方向Ｙ１に沿って貫通して設けられた複数の端子収容室６１１と、図２に示すように、外部に向かって突出し、後述するピラー３０と係止する複数のピラーロック６１２と、を有している。この端子収容室６１１にオス端子５の電線接続部５２が収容され、電気接続部５１がフード部６２内に突出される。
【００１９】
フード部６２は、図８（Ａ）に示すように、端子収容部６１から嵌合方向Ｙ１のメスコネクタ３側に向かって突出し、複数の端子収容室６１１を囲むように設けられている。フード部６２は、図３に示すように、外部に向かって突出した庇部６２１と、メスコネクタ３のリブ１１２をフード部６２外部に突出させるための溝６２２と、後述するＣＰＡ４をスライド自在に取り付けるレール６２３と、ＣＰＡ４を仮係止位置に仮係止するための仮係止突部６２４、６２５と、ＣＰＡ４を本係止位置に本係止するための本係止ロックアーム６２６、本係止部６２７と、を有している。
【００２０】
溝６２２は、フード部６２を貫通して設けられ、嵌合方向Ｙ１に沿って延在している。レール６２３は、ＣＰＡ４の鉛直方向Ｙ２に沿って延在し、断面Ｌ字状に設けられている。鉛直方向Ｙ２は、本実施形態におけるＣＰＡ４のスライド方向であり、嵌合方向Ｙ１と直交する。また、レール６２３は、溝６２２よりも鉛直方向Ｙ２下側（即ちスライド方向仮係止側）のフード部６２から外部に向かって突出して設けられている。
【００２１】
仮係止突部６２４は、溝６２２よりも鉛直方向Ｙ２下側のフード部６２から外部に向かって突出して設けられている。仮係止突部６２５は、溝６２２の鉛直方向Ｙ２上側から外部に向かって突出して設けられている。
【００２２】
本係止ロックアーム６２６は、庇部６２１から鉛直方向Ｙ２下側に向かって下垂して設けられ、その先端がフード部６２の内部に向かって突出して設けられている。本係止ロックアーム６２６は、その先端がフード部６２に接離する接離方向Ｙ３に可撓に設けられている。接離方向Ｙ３は、嵌合方向Ｙ１及び鉛直方向Ｙ２の双方に直交する方向である。本係止部６２７は、溝６２２の鉛直方向Ｙ２下側の端部から外部に向かって突出して設けられ、レール６２３の鉛直方向Ｙ１上側の端部に連結されている。
【００２３】
フランジ部６３は、端子収容部６１の嵌合方向Ｙ１のオスコネクタ２側の端部周縁から外部に向けて突出して設けられている。オスコネクタ２は、図１０に示すように、ピラー３０の取付孔３１に挿入すると、ピラーロック６１２と後述するグロメット８が被せられたフランジ部６３との間にピラー３０を挟んでピラー３０に固定される。
【００２４】
オススペーサ７は、鉛直方向Ｙ２に沿ってスライド自在に端子収容部６１に取り付けられる。オススペーサ７は、仮係止位置にあるときは端子収容室６１１内へのオス端子５の挿入を許容し、本係止位置にあるときは端子収容室６１１内に収容されたオス端子５に係止する。グロメット８は、図２に示すように、ゴムなどの弾性部材から構成され、オス端子５に接続された電線を覆って保護する筒状の電線保護部９の端部と、オスコネクタ２のフランジ部６３と、に取り付けられ、ピラー３０の取付孔３１を防水する。
【００２５】
メスコネクタ３は、図４に示すように、メス端子１０と、メスハウジング１１と、メススペーサ１２と、レバー１３と、を備えている。メス端子１０は、導電部材から構成され、オス端子５の電気接続部５１が挿入されて電気的に接続される筒状の電気接続部１０１と、図示しない電線に接続される電線接続部１０２と、が嵌合方向Ｙ１に沿って並べて設けられている。
【００２６】
メスハウジング１１は、図４及び図５に示すように、オスハウジング６のフード部６２内に挿入できるブロック状に設けられ、嵌合方向Ｙ１に沿って貫通して設けられた複数の端子収容室１１１と、外部に向かって突出し、嵌合方向Ｙ１に沿って延在するリブ１１２と、後述するレバー１３の回転孔１３１Ａが挿入される一対の回転軸部１１３と、を有している。
【００２７】
端子収容室１１１にはメス端子１０の電気接続部１０１及び電線接続部１０２が収容される。リブ１１２は、図１２（Ｂ）に示すように、メスハウジング１１をオスハウジング６内に挿入したとき、フード部６２の溝６２２を通ってフード部６２外部に突出される。リブ１１２は、溝６２２内を嵌合方向Ｙ１に沿ってスライドする。
【００２８】
メススペーサ１２は、鉛直方向Ｙ２に沿ってスライド自在にメスハウジング１１に取り付けられる。メススペーサ１２は、仮係止位置にあるときは端子収容室１１１内へのメス端子１０の挿入を許容し、本係止位置にあるときは端子収容室１１１内に収容されたメス端子１０に係止する。
【００２９】
レバー１３は、図４に示すように、メスハウジング１１の鉛直方向Ｙ２両側を挟む一対のアーム部１３１と、一対のアーム部１３１の一端部を連結する操作部１３２と、を備えている。一対のアーム部１３１の他端部にはそれぞれ、メスハウジング１１に設けられた回転軸部１１３が挿入される回転孔１３１Ａが設けられている。また、一対のアーム部１３１の一方には、オスハウジング６の設けた図示しないカムフォロアが挿入されるカム溝１３１Ｂが設けられている。
【００３０】
レバー１３は、この回転孔１３１Ａを中心として回動自在にメスハウジング１１に取り付けられている。操作部１３２をオスコネクタ２に近づけるように回転させると、図示しないカムフォロアがカム溝１３１Ｂに沿って進みメスハウジング１１がオスハウジング６側に移動して、オスコネクタ２及びメスコネクタ３が嵌合される。
【００３１】
ＣＰＡ４は、図６に示すように、フード部６２の外側面を覆う壁部１４と、レール溝１５が設けられたレール溝形成部１６と、オスコネクタ２の仮係止位置に仮係止するための仮係止ロック部１７、仮係止ロックアーム１８と、オスコネクタ２の本係止位置に本係止するための本係止突部１９、本係止部２０と、半嵌合位置にあるメスコネクタ３のリブ１１２と当接する当接壁２１と、を有している。
【００３２】
レール溝形成部１６は、壁部１４のフード部６２側に設けられ、その上面が壁部１４の上面よりも鉛直方向Ｙ２下側になるように設けられている。レール溝１５は、断面Ｌ字状に設けられ、鉛直方向Ｙ２上側が開口され、その開口からオスコネクタ２のレール６２３が挿入される。
【００３３】
仮係止ロック部１７は、レール溝形成部１６よりも嵌合方向Ｙ１のオスコネクタ２側に設けられ、嵌合方向Ｙ１に沿って並べられた一対のアーム部１７１と、一対のアーム部１７１間を連結するロック部１７２と、から構成されている。一対のアーム部１７１は、一端が壁部１４に固定され、他端が鉛直方向Ｙ２上側に向かって延在し、接離方向Ｙ３に可撓に設けられている。ロック部１７２は、一対のアーム部１７１の他端同士を連結し、その上面はレール溝形成部１６の上面と同じ高さに設けられている。
【００３４】
上述したオスコネクタ２の仮係止突部６２４には、図８（Ｂ）に示すように、鉛直方向Ｙ２上側に向かうに従ってフード部６２から離れる傾斜面が設けられている。これにより、ＣＰＡ４のレール溝１５にオスコネクタ２のレール６２３を挿入して、ＣＰＡ４を鉛直方向Ｙ２上側に移動させると、ＣＰＡ４のロック部１７２が仮係止突部６２４の傾斜面に乗り上げ、アーム部１７１の他端がフード部６２から離れた側に撓む。さらに、ＣＰＡ４を鉛直方向Ｙ２上側に移動させて、ロック部１７２が仮係止突部６２４を乗り越えると、アーム部１７１の他端がフード部６２側に復元して、図８（Ｂ）に示すように、ロック部１７２と仮係止突部６２４を仮係止することができる。
【００３５】
図６に示すように、壁部１４のフード部６２側には鉛直方向Ｙ２に沿って延在した凹溝１４Ａが設けられている。上記仮係止ロックアーム１８は、この凹溝１４Ａの内面から鉛直方向Ｙ２上側に向かって延在して設けられ、その先端がフード部６２の内部に向かって突出して設けられている。仮係止ロックアーム１８は、その先端が接離方向Ｙ３に可撓に設けられている。また、仮係止ロックアーム１８の先端は、壁部１４の上面よりも鉛直方向Ｙ２上側に突出して設けられている。
【００３６】
仮係止ロックアーム１８の先端は、図８（Ｂ）に示すように、ＣＰＡ４のロック部１７２とメスハウジング１１の仮係止突部６２４とを仮係止したとき、仮係止突部６２５と当接して仮係止すると共に、溝６２２と対向するように設けられている。
【００３７】
仮係止ロックアーム１８の先端には、図６（Ａ）に示すように、嵌合方向Ｙ１のオスコネクタ２側に向かうに従ってフード部６２に近づく傾斜面が設けられている。これにより、ＣＰＡ４が仮係止されたオスコネクタ２内にメスコネクタ３を挿入すると、メスコネクタ３のリブ１１２が仮係止ロックアーム１８先端に設けた傾斜面を乗り上げ、リブ１１２に押されて仮係止ロックアーム１８先端がフード部６２から離れた側に撓んで、仮係止ロックアーム１８と仮係止突部６２５の仮係止を解除できる。
【００３８】
図６に示すように、上記壁部１４のフード部６２から離れた側の面にも鉛直方向Ｙ２に延在する凹溝１４Ｂが設けられ、この凹溝１４Ｂの底面に本係止突部１９が突出して設けられている。
【００３９】
図９に示すように、本係止突部１９及びオスハウジング６の本係止ロックアーム６２６先端には、鉛直方向Ｙ２下側に向かってフード部６２から離れる傾斜面が設けられている。これにより、ＣＰＡ４を仮係止位置よりもさらに鉛直方向Ｙ２上側に移動させると、本係止突部１９の傾斜面にオスハウジング６の本係止ロックアーム６２６先端の傾斜面が乗り上げ、本係止ロックアーム６２６先端がフード部６２から離れた側に撓む。さらに、ＣＰＡ４を鉛直方向Ｙ２上側に移動させて、本係止ロックアーム６２６の先端が本係止突部１９を乗り越えると、本係止ロックアーム６２６の先端がフード部６２側に復元して、図９（Ｂ）に示すように、本係止ロックアーム６２６先端と本係止突部１９を本係止することができる。
【００４０】
本係止部２０は、図６に示すように、レール溝１５の鉛直方向Ｙ２下側の開口を塞ぐように設けられている。当接壁２１は、壁部１４からフード部６２に向かって突出して設けられ、レール溝形成部１６よりも嵌合方向Ｙ１のメスコネクタ３側に設けられている。当接壁２１の上面は、レール溝形成部１６や仮係止ロック部１７の上面よりも鉛直方向Ｙ２上側に設けられている。
【００４１】
また、ＣＰＡ４は、図１１に示すように、仮係止位置にある状態では、斜線で示す部分がピラー３０に当接してオスコネクタ２を取付孔３１に挿入できず、本係止位置にある状態ではオスコネクタ２を取付孔３１に挿入できるように、設けられている。詳しく説明すると、仮係止位置では、ＣＰＡ４がオスコネクタ２の鉛直方向Ｙ２下端よりも下方に突出していて、取付孔３１に挿入できないようになっている。本係止位置では、ＣＰＡ４がオスコネクタ２の鉛直方向Ｙ２下端よりも上側に移動するため、取付孔３１に挿入することができる。
【００４２】
次に、上述した構成のコネクタ構造１についてピラー３０への取付手順について説明する。まず、オス、メススペーサ７、１２を端子収容部６１、メスハウジング１１に仮係止させる。次に、端子収容室６１１、１１１にオス、メス端子５、１０をそれぞれ挿入した後、オス、メススペーサ７、１２を本係止させておく。
【００４３】
次に、図１に示すように、オスコネクタ２にＣＰＡ４を仮係止する。即ち、ＣＰＡ４のレール溝１５にレール６２３を差し込んで、ＣＰＡ４を鉛直方向Ｙ２上側にスライドさせる。これにより、図８（Ｂ）に示すように、ＣＰＡ４の仮係止ロック部１７とオスコネクタ２の仮係止突部６２４と、が仮係止する。この係止により、ＣＰＡ４が鉛直方向Ｙ２下側に抜け落ちることがない。
【００４４】
また、オスコネクタ２及びメスコネクタ３が嵌合しない状態で、ＣＰＡ４を本係止位置にスライドさせようとしても、オスコネクタ２の仮係止突部６２５とＣＰＡ４の仮係止ロックアーム１８とが当接して、本係止位置にスライドできないようになっている。
【００４５】
次に、メスコネクタ３をオスコネクタ２のフード部６２内に挿入する。このとき、メスコネクタ３のリブ１１２がフード部６２の溝６２２を通ってフード部６２外に突出する。オスコネクタ２をメスコネクタ３に近づけると、リブ１１２がＣＰＡ４の仮係止ロックアーム１８を押して、その先端をフード部６２から離れた側に撓ませる。これにより、ＣＰＡ４の仮係止ロックアーム１８とオスハウジング６の仮係止突部６２５との係止を解除できる。
【００４６】
また、オスコネクタ２及びメスコネクタ３が半嵌合状態のときは、図１２に示すように、リブ１１２がＣＰＡ４の当接壁２１の上側に位置する。このため、オスコネクタ２及びメスコネクタ３が半嵌合状態で、ＣＰＡ４を本係止位置にスライドさせようとしても、メスコネクタ３のリブ１１２がＣＰＡ４の当接壁２１に当接して、本係止位置にスライドできないようになっている。メスコネクタ３が嵌合状態になると、図１３（Ａ）に示すように、リブ１１２がＣＰＡ４の当接壁２１よりも嵌合方向Ｙ１オスコネクタ２側に位置し、ＣＰＡ４を本係止位置にスライドできるようになる。
【００４７】
次に、図１３（Ｂ）に示すように、ＣＰＡ４を鉛直方向Ｙ２上側にスライドさせて本係止させる。このとき、ＣＰＡ４が本係止位置に達すると、図９に示すように、ＣＰＡ４の本係止部２０とオスハウジング６のレール６２３の鉛直方向Ｙ２下端とが当接し、オスハウジング６の本係止部６２７と、レール溝形成部１６の鉛直方向Ｙ２上端とが当接する。また、オスコネクタ２の本係止ロックアーム６２６とＣＰＡ４の本係止突部１９とが本係止し、仮係止位置に戻らないようになっている。さらに、図１３（Ｂ）に示すように、本係止位置にあるときにリブ１１２がＣＰＡ４の当接壁２１よりも嵌合方向Ｙ１のオスコネクタ２側に位置するため、メスコネクタ３を離脱方向に引っ張るとリブ１１２と当接壁２１とが当接して、メスコネクタ３の離脱を防ぐことができる。
【００４８】
次に、オスコネクタ２のオスハウジング６をピラー３０の取付孔３１に挿入し、ピラーロック６１２がピラー３０よりも挿入方向奥側に位置するまで押し込む。これにより、ピラーロック６１２とフランジ部６３との間にピラー３０が挟まれて、コネクタ構造１がピラー３０に取り付けられる。
【００４９】
なお、ＣＰＡ４を本係止位置にスライドさせないで、仮係止位置又は本係止位置と仮係止位置との間にある状態で、オスコネクタ２をピラー３０の取付孔３１に挿入させても、図１１に示すように、ＣＰＡ４とピラー３０が干渉してオスコネクタ２をピラー３０に挿入することができない。
【００５０】
上述した実施形態によれば、ＣＰＡ４は、仮係止位置にある状態ではピラー３０に当接してオスコネクタ２を取付孔３１に挿入できないので、ＣＰＡ４が本係止位置にない状態でピラー３０に取り付けられることを防止できる。
【００５１】
上述した実施形態によれば、ＣＰＡ４は、オスコネクタ２及びメスコネクタ３が半嵌合のときはメスコネクタ３のリブ１１２に当接して、本係止位置までスライドできないように設けられている。これにより、オスコネクタ２及びメスコネクタ３が半嵌合状態でピラー３０に取り付けられることを防止できる。
【００５２】
上述した実施形態によれば、ＣＰＡ４は、本係止位置にあるときにメスコネクタ３を離脱方向に引っ張るとリブ１１２と当接するため、メスコネクタ３がオスコネクタ２外に離脱するのを防止できる。
【００５３】
なお、上述した実施形態によれば、ＣＰＡ４を鉛直方向Ｙ２にスライドさせていたが、本発明はこれに限ったものではない。ＣＰＡ４のスライド方向は嵌合方向Ｙ１と直交する方向であればよく、例えば従来と同様に接離方向Ｙ３であってもよい。
【００５４】
また、上述した実施形態によれば、ＣＰＡ４は、オスコネクタ２及びメスコネクタ３が半嵌合のときはメスコネクタ３のリブ１１２に当接して、本係止位置までスライドできないように設けられていたが、これに限ったものではない。従来のように、レバー１３と当接して、ＣＰＡ４が本係止位置までスライドできないようにしてもよい。
【００５５】
また、上述した実施形態によれば、メスコネクタ３としてはレバー式のものを用いていたが、本発明はこれに限ったものではなく、レバー１３はなくてもよい。
【００５６】
また、前述した実施形態は本発明の代表的な形態を示したに過ぎず、本発明は、実施形態に限定されるものではない。即ち、本発明の骨子を逸脱しない範囲で種々変形して実施することができる。
【符号の説明】
【００５７】
１  コネクタ構造
２  オスコネクタ（第１コネクタ）
３  メスコネクタ（第２コネクタ）
４  ＣＰＡ（半嵌合検知部）
３０  ピラー（パネル）
３１  取付孔
１１２  リブ（当接部）
６２２  溝
Ｙ１  嵌合方向
Ｙ２  鉛直方向（嵌合方向と直交する方向）
【図１】
2016207471.tif 000003
【図２】
2016207471.tif 000004
【図３】
2016207471.tif 000005
【図４】
2016207471.tif 000006
【図５】
2016207471.tif 000007
【図６】
2016207471.tif 000008
【図７】
2016207471.tif 000009
【図８】
2016207471.tif 000010
【図９】
2016207471.tif 000011
【図１０】
2016207471.tif 000012
【図１１】
2016207471.tif 000013
【図１２】
2016207471.tif 000014
【図１３】
2016207471.tif 000015
【図１４】
2016207471.tif 000016